(57)【要約】【課題】光の照射が抑制される周辺領域を小さくすることが可能な照明装置及び表示装置を提供する。【解決手段】発光面と、発光面と反対側の対向面と、発光面と対向面との間の第１側面と、第１側面と対向する第２側面と、をそれぞれ有する複数の導光板と、複数の導光板の第１側面と対向する少なくとも１つ以上の光源と、とを有し、複数の導光板が組み合わされて、全ての光源の上には、当該光源が設けられた導光板とは異なる他の導光板の第２側面側の端部が重なって配置される。【選択図】図４
2019087364.tif 000002
【特許請求の範囲】
【請求項１】
発光面と、前記発光面と反対側の対向面と、前記発光面と前記対向面との間の第１側面と、前記第１側面と対向する第２側面と、をそれぞれ有する複数の導光板と、
複数の前記導光板の前記第１側面と対向する少なくとも１つ以上の光源と、とを有し、
複数の前記導光板が組み合わされて、全ての前記光源の上には、当該光源が設けられた前記導光板とは異なる他の導光板の前記第２側面側の端部が重なって配置される照明装置。
【請求項２】
前記光源と、前記他の導光板との間に反射層が設けられる請求項１に記載の照明装置。
【請求項３】
前記発光面は、第１主面と、前記第１主面と連結され、少なくとも一部が前記他の導光板と重なる第１重畳面とを含み、
前記対向面は、前記第１主面と反対側の第２主面と、前記第１重畳面と反対側の第２重畳面とを含み、
前記第１側面は、前記第１重畳面と前記第２重畳面との間に設けられる請求項１又は請求項２に記載の照明装置。
【請求項４】
前記第１重畳面の上に、前記他の導光板の前記第２側面が重なって配置される請求項３に記載の照明装置。
【請求項５】
前記第２側面は、前記第１主面と前記第２主面との間に設けられる請求項３又は請求項４に記載の照明装置。
【請求項６】
前記第１主面と前記第２主面との間の距離は、前記第２側面に近づくにしたがって小さくなる請求項３乃至請求項５のいずれか１項に記載の照明装置。
【請求項７】
前記導光板は、前記他の導光板に設けられた前記光源と重なる領域及び、当該光源と重ならない領域に亘って、光を散乱する散乱領域が設けられている請求項１乃至請求項６のいずれか１項に記載の照明装置。
【請求項８】
複数の前記光源は、前記第１側面に沿って等間隔で配置される請求項１乃至請求項７のいずれか１項に記載の照明装置。
【請求項９】
複数の前記光源は、前記第１側面に沿って配置され、
前記光源の配置ピッチは、前記第２側面から離れるにしたがって小さくなる請求項１乃至請求項７のいずれか１項に記載の照明装置。
【請求項１０】
前記導光板は、前記第１側面と前記第２側面との間の第３側面を有し、
複数の前記導光板が組み合わされて、複数の前記第３側面は平面視で環状に配置され、
全ての前記光源は、複数の前記第３側面で囲まれた領域内に配置される請求項１乃至請求項９のいずれか１項に記載の照明装置。
【請求項１１】
前記第１側面は、平面視で、前記第３側面から離れるにしたがって、前記第２側面に近づいて設けられる請求項１０に記載の照明装置。
【請求項１２】
前記第１側面は、平面視で円弧状である請求項１０又は請求項１１に記載の照明装置。
【請求項１３】
前記第３側面は、平面視で直線状であり、
複数の前記導光板が組み合わされて、複数の前記第３側面は、四角形状に配置される請求項１０乃至請求項１２のいずれか１項に記載の照明装置。
【請求項１４】
前記第３側面は、平面視で円弧状であり、
複数の前記導光板が組み合わされて、複数の前記第３側面は、円形状に配置される請求項１０乃至請求項１２のいずれか１項に記載の照明装置。
【請求項１５】
前記発光面は曲面を有し、
複数の前記導光板が組み合わされて、複数の前記発光面は、半球状に配置される請求項１乃至請求項９のいずれか１項に記載の照明装置。
【請求項１６】
全ての前記光源は、平面視で、半球状に配置された複数の前記発光面の外周で囲まれた領域内に配置される請求項１５に記載の照明装置。
【請求項１７】
請求項１乃至請求項１６のいずれか１項に記載の照明装置と、
前記照明装置に積層された表示パネルと、を有し、
前記表示パネルは、
第１基材と、前記第１基材と対向する第２基材と、前記第１基材と前記第２基材との間に設けられた表示機能層とを有する、表示装置。
【発明の詳細な説明】
【技術分野】
【０００１】
本発明は、照明装置及び表示装置に関する。
【背景技術】
【０００２】
導光板と、導光板の側面から導光板の内部へ光を照射する光源と、を備えるエッジライト型の照明装置が知られている（例えば、特許文献１参照）。エッジライト型の照明装置は、例えば、光源からの光を散乱させる散乱部が導光板の下面に形成される。散乱部は、導光板の上面から光が透過するように、光を散乱させる。
【先行技術文献】
【特許文献】
【０００３】
【特許文献１】特開２００９−１９３８９２号公報
【発明の概要】
【発明が解決しようとする課題】
【０００４】
表示装置では、表示領域の外側の周辺領域を小さくすることが要求されている。しかし、エッジライト型の照明装置では、導光板の周辺に光源が配置されており、光源が設けられた領域で上面に光を照射することが困難である。このように、光源による制約が大きいため、光の照射が抑制される周辺領域を小さくすることが困難となる可能性がある。
【０００５】
本発明の目的は、光の照射が抑制される周辺領域を小さくすることが可能な照明装置及び表示装置を提供することにある。
【課題を解決するための手段】
【０００６】
本発明の一態様の照明装置は、発光面と、前記発光面と反対側の対向面と、前記発光面と前記対向面との間の第１側面と、前記第１側面と対向する第２側面と、をそれぞれ有する複数の導光板と、複数の前記導光板の前記第１側面と対向する少なくとも１つ以上の光源と、とを有し、複数の前記導光板が組み合わされて、全ての前記光源の上には、当該光源が設けられた前記導光板とは異なる他の導光板の前記第２側面側の端部が重なって配置される。
【０００７】
本発明の一態様の表示装置は、上記の照明装置と、前記照明装置に積層された表示パネルとを有し、前記表示パネルは、第１基材と、前記第１基材と対向する第２基材と、前記第１基材と前記第２基材との間に設けられた表示機能層とを有する。
【図面の簡単な説明】
【０００８】
【図１】図１は、第１実施形態に係る表示装置の概略構成を示す斜視図である。
【図２】図２は、第１実施形態に係る表示装置の一構成例を示すブロック図である。
【図３】図３は、第１実施形態に係る照明装置の斜視図である。
【図４】図４は、第１実施形態に係る照明装置の平面図である。
【図５】図５は、第１実施形態に係る照明装置が有する第１導光板の斜視図である。
【図６】図６は、第１実施形態に係る照明装置が有する第１導光板の平面図である。
【図７】図７は、図６のＢ１−Ｂ２線に沿って切断したときの第１導光板の断面図である。
【図８】図８は、図４のＡ１−Ａ２線に沿って切断したときの表示装置の断面図である。
【図９】図９は、第１実施形態の第１変形例に係る第１導光板の断面図である。
【図１０】図１０は、第１実施形態の第２変形例に係る第１導光板の平面図である。
【図１１】図１１は、第２実施形態に係る照明装置の斜視図である。
【図１２】図１２は、第２実施形態に係る照明装置の平面図である。
【図１３】図１３は、第２実施形態に係る照明装置が有する第１導光板の斜視図である。
【図１４】図１４は、第２実施形態に係る照明装置が有する第１導光板の平面図である。
【図１５】図１５は、第３実施形態に係る照明装置の斜視図である。
【図１６】図１６は、第３実施形態に係る照明装置の側面図である。
【図１７】図１７は、第３実施形態に係る照明装置の平面図である。
【図１８】図１８は、第３実施形態に係る照明装置の底面図である。
【図１９】図１９は、第３実施形態に係る照明装置が有する第１導光板の斜視図である。
【図２０】図２０は、第３実施形態に係る照明装置が有する第１導光板の平面図である。
【図２１】図２１は、第３実施形態に係る照明装置が有する第１導光板の底面図である。
【発明を実施するための形態】
【０００９】
発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成要素は適宜組み合わせることが可能である。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１０】
（第１実施形態）
図１は、第１実施形態に係る表示装置の概略構成を示す斜視図である。図２は、第１実施形態に係る表示装置の一構成例を示すブロック図である。以下、ＸＹＺ座標系を用いて、各構成要素の形状や配置を説明する。以下においては、水平面内の一方向をＸ方向として説明する。また、水平面内においてＸ方向と交差する方向をＹ方向として説明する。また、Ｘ方向及びＹ方向のそれぞれと直交する方向をＺ方向として説明する。また、本明細書において、「平面視」とは、Ｚ方向から見た場合を示す。
【００１１】
図１に示すように、表示装置１は、表示パネル２と、バックライト３とを有する。表示パネル２は、第１基材１０と、第２基材１１と、第１偏光板１２と、第２偏光板１３と、を有する。表示パネル２の各構成要素は、第１偏光板１２、第１基材１０、第２基材１１、及び第２偏光板１３の順にＺ方向に並んで配置される。第２基材１１は、第１基材１０と対向する。第１基材１０と第２基材１１とが対向する対向領域の周縁部には、枠状のシール材１９が設けられている。第１基材１０と第２基材１１とシール材１９とによって囲まれた空間には、表示機能層である液晶層２５（図２参照）が封入される。シール材１９の内側には、バックライト３からの光を透過させて画像を表示する表示領域Ａｄが設けられる。表示領域Ａｄの外側は、光の透過が抑制される周辺領域Ｇｄである。
【００１２】
図１に示すように、バックライト３は、プリズムシート１４と、拡散板１５、１６と、導光板３０と、照明部５０と、反射層６１、６２、６３、６４と、を備える。導光板３０は、第１導光板３１と、第２導光板３２と、第３導光板３３と、第４導光板３４と、を含む。照明部５０は、第１光源５１と、第２光源５２と、第３光源５３と、第４光源５４と、を含む。なお、図１では、導光板３０、照明部５０及び反射層６１、６２、６３、６４の一部のみ図示している。また、第１導光板３１、第２導光板３２、第３導光板３３及び第４導光板３４を区別して説明する必要がない場合には、単に導光板と表す。図１に示すように、バックライト３の各構成要素は、Ｚ方向に向かって照明部５０、反射層６１、６２、６３、６４、導光板３０、拡散板１５、プリズムシート１４及び拡散板１６の順番に並んで配置される。
【００１３】
バックライト３は、いわゆるサイドエッジ型の照明装置である。例えば、第２導光板３２において、第２光源５２は、第１側面３２ｅに対向して配置される。第２光源５２からの光は、第２導光板３２を通って、表示パネル２に向けて照射される。また、第３導光板３３において、第３光源５３は、第１側面３３ｅに配置される。第３光源５３からの光は、第３導光板３３を通って、表示パネル２に向けて照射される。第１導光板３１及び第４導光板３４も同様である。
【００１４】
図２に示すように、表示装置１は、さらに画像信号制御部９０と、階調制御部９２と、ゲート線駆動部９４と、データ線駆動部９６と、光源駆動部９８と、を有する。表示パネル２及びバックライト３の駆動は、画像信号制御部９０、階調制御部９２、ゲート線駆動部９４、データ線駆動部９６、及び光源駆動部９８によって制御される。
【００１５】
表示領域Ａｄには、複数のゲート線２１と複数のデータ線２２とが格子状に設けられる。複数のゲート線２１は、それぞれＸ方向（図１参照）に延びており、Ｙ方向（図１参照）に配列される。複数のデータ線２２は、それぞれＹ方向に延びており、Ｘ方向に配列される。ゲート線２１とデータ線２２との各交差部には薄膜トランジスタ２３が設けられる。薄膜トランジスタ２３のゲートとソースは、ゲート線２１とデータ線２２にそれぞれ電気的に接続される。薄膜トランジスタ２３のドレインは、画素電極２４と電気的に接続される。
【００１６】
表示領域Ａｄには、各画素電極２４に共通の共通電極２６が設けられる。共通電極２６には、図示略の電源部によってコモン電位Ｖｃｏｍが供給される。液晶層２５の液晶分子の配向は、画素電極２４と共通電極２６との間に発生する電界によって制御される。これにより、液晶層２５を透過する光が副画素ＰＸごとに変調する。ここで、１つの画素電極２４と共通電極２６とによって液晶層２５の配向が制御される領域が一つの副画素ＰＸである。Ｘ方向及びＹ方向にマトリクス状に配置された複数の副画素ＰＸによって表示領域Ａｄが形成される。
【００１７】
画像信号制御部９０は、外部から入力された画像信号ＶＳに基づいて画像制御信号ＶＣＳと、バックライト制御信号ＬＣＳとを生成する。画像信号ＶＳは、各副画素ＰＸの階調値に関する階調情報を含む。画像制御信号ＶＣＳは、表示パネル２の各副画素ＰＸにどのような階調値を与えるかを定める信号である。画像制御信号ＶＣＳは、各副画素ＰＸの階調値に関する階調情報を含む。
【００１８】
階調制御部９２は画像制御信号ＶＣＳに基づいて水平駆動信号ＨＤＳと垂直駆動信号ＶＤＳとを生成する。ゲート線駆動部９４は、水平駆動信号ＨＤＳに基づいて、表示パネル２の複数のゲート線２１を順次選択する。データ線駆動部９６は、垂直駆動信号ＶＤＳに基づいて、各副画素ＰＸに応じた階調信号を表示パネル２の複数のデータ線２２に供給する。これにより、表示パネル２は、１フレーム分の画像を表示する。
【００１９】
バックライト制御信号ＬＣＳは、各光源から照射される光の光量の情報を含む信号である。また、バックライト制御信号ＬＣＳは、各光源が光を照射するタイミングの情報を含む信号である。光源駆動部９８は、バックライト制御信号ＬＣＳに基づいて、バックライト３の動作を制御する。第１光源５１、第２光源５２、第３光源５３及び第４光源５４は、バックライト制御信号ＬＣＳに基づいて、指定された光量で光Ｌ１、Ｌ２、Ｌ３、Ｌ４を照射する。これにより、バックライト３は、表示画像の明るさに応じた光量の光を、表示パネル２に向けて照射することができる。
【００２０】
光源駆動部９８は、第１光源５１、第２光源５２、第３光源５３及び第４光源５４ごとに光量を制御することができる。このため、第１導光板３１、第２導光板３２、第３導光板３３及び第４導光板３４から出射する光の光量を、それぞれ調整することができる。これにより、表示装置１は、表示領域Ａｄの所定の領域ごとに明暗を調整できる。つまり、表示装置１は、ローカルディミング制御を実行することができる。なお、光源駆動部９８は、１つの導光板、例えば第１導光板３１において、複数の第１光源５１ごとに光量を調整してもよい。第２光源５２、第３光源５３及び第４光源５４も、それぞれ光源ごとに光量を制御してもよい。
【００２１】
次に、バックライト３の詳細な構成について説明する。図３は、第１実施形態に係る照明装置の斜視図である。図４は、第１実施形態に係る照明装置の平面図である。図５は、第１実施形態に係る照明装置が有する第１導光板の斜視図である。図６は、第１実施形態に係る照明装置が有する第１導光板の平面図である。図７は、図６のＢ１−Ｂ２線に沿って切断したときの第１導光板の断面図である。図８は、図４のＡ１−Ａ２線に沿って切断したときの表示装置の断面図である。
【００２２】
図３に示すように、導光板３０は、第１導光板３１と、第２導光板３２と、第３導光板３３と、第４導光板３４とが組み合わされる。具体的には、第１導光板３１は、第２導光板３２と隣り合って配置される。第２導光板３２は、第３導光板３３と隣り合って配置される。第３導光板３３は第４導光板３４と隣り合って配置される。第４導光板３４は第１導光板３１と隣り合って配置される。互いに隣り合う導光板の端部どうしが
重なって配置される。第１導光板３１、第２導光板３２、第３導光板３３及び第４導光板３４は、例えば、ポリカーボネート又はアクリルの板部材である。
【００２３】
本実施形態では、第１導光板３１、第２導光板３２、第３導光板３３及び第４導光板３４は同様の構成を有する。図５から図７を参照して、第１導光板３１を代表例として、第１導光板３１の詳細な構成を説明する。
【００２４】
図５及び図６に示すように、第１導光板３１は、発光面ＬＳ１と、対向面ＯＳ１と、第１側面３１ｅと、第２側面３１ｆと、第３側面３１ｇと、第４側面３１ｈと、第５側面３１ｉと、第６側面３１ｊと、を有する。
【００２５】
発光面ＬＳ１は、第１主面３１ａと第１重畳面３１ｃとを含む。対向面ＯＳ１は、発光面ＬＳ１の反対側の面であり、第２主面３１ｂと第２重畳面３１ｄとを含む。第１主面３１ａは、Ｘ方向とＹ方向とが成す平面である。第１重畳面３１ｃ及び第２重畳面３１ｄは、少なくとも一部が第１導光板３１とは異なる他の導光板と重なって配置される面である。図７に示すように、第１重畳面３１ｃは、第１主面３１ａと連結され、第１主面３１ａに対して傾いて設けられる。第２主面３１ｂは、第１主面３１ａと反対側の面である。第２重畳面３１ｄは、第１重畳面３１ｃと反対側の面である。第２重畳面３１ｄは、第２主面３１ｂと連結され、第１重畳面３１ｃと同じ角度で第２主面３１ｂに対して傾いて設けられる。第１主面３１ａと、第２主面３１ｂとは、実質的に平行に設けられる。また、第１重畳面３１ｃと、第２重畳面３１ｄとは、実質的に平行に設けられる。
【００２６】
第１側面３１ｅは、第１重畳面３１ｃと第２重畳面３１ｄとの間の面である。第２側面３１ｆは、第１主面３１ａと第２主面３１ｂとの間の面であり、第１側面３１ｅと対向する。図６に示すように、第１側面３１ｅ及び第２側面３１ｆは、平面視で円弧状となる曲面である。第１側面３１ｅは、第３側面３１ｇとは反対側に位置する点を中心とした円弧を描く。第１側面３１ｅは、第３側面３１ｇに近づく方向に凹となる。また、第２側面３１ｆは、第３側面３１ｇ側に位置する点を中心とした円弧を描く。第２側面３１ｆは、第３側面３１ｇから離れる方向に凸となる。第１側面３１ｅは、平面視で、第３側面３１ｇから離れるにしたがって、第２側面３１ｆに近づいて設けられる。
【００２７】
図６に示すように、第３側面３１ｇは、Ｘ方向に沿って直線状に設けられる。第３側面３１ｇの一端は、第２側面３１ｆと連結され、第３側面３１ｇの他端は、第４側面３１ｈと連結される。第３側面３１ｇは、第２側面３１ｆと同様に、第１主面３１ａと第２主面３１ｂとの間の面である。第３側面３１ｇは、第１側面３１ｅ及び第２側面３１ｆと対向する。
【００２８】
図６に示すように、第４側面３１ｈは、Ｙ方向に沿って直線状に設けられる。つまり、第４側面３１ｈは、第３側面３１ｇに対して直交する。また、第４側面３１ｈは、第１重畳面３１ｃと第２重畳面３１ｄとの間の面であり、第１側面３１ｅの一端と連結される。第３側面３１ｇと第４側面３１ｈとが連結される位置は、第１主面３１ａと第１重畳面３１ｃとの境界と重なる。
【００２９】
第５側面３１ｉは、第１側面３１ｅの他端と連結される。第５側面３１ｉは、Ｘ方向に沿って直線状に設けられる。つまり、第５側面３１ｉは、第３側面３１ｇと平行な面である。また、第５側面３１ｉは、第１重畳面３１ｃと第２重畳面３１ｄとの間の面である。第５側面３１ｉのＸ方向の長さは、第４側面３１ｈのＹ方向の長さと等しい。すなわち、第１重畳面３１ｃの径方向の幅は、周方向に沿って一定となる。
【００３０】
図６に示すように、第６側面３１ｊは、Ｙ方向に沿って直線状に設けられる。つまり、第６側面３１ｊは、第４側面３１ｈと平行な面であり、第５側面３１ｉと直交する面である。第６側面３１ｊは、第２側面３１ｆの端部からＹ方向に屈曲して設けられ、第５側面３１ｉの端部と連結される。第５側面３１ｉと第６側面３１ｊとが連結される位置は、第１主面３１ａと第１重畳面３１ｃとの境界と重なる。
【００３１】
図６に示すように、第１光源５１は、第１側面３１ｅに対向して設けられる。第１光源５１は、例えば、発光ダイオード（ＬＥＤ：Light  Emitting  Diode）である。なお、第２光源５２、第３光源５３及び第４光源５４（図４参照）も、例えば、発光ダイオードである。複数の第１光源５１は、第１側面３１ｅに沿って等間隔で配置される。複数の第１光源５１は、光Ｌ１を第１側面３１ｅから第１導光板３１の内部に向けて照射する。第１側面３１ｅが凹状に形成されており、複数の第１光源５１は、光Ｌ１をそれぞれ異なる方向に照射することができる。
【００３２】
図６では、４つの第１光源５１が設けられているが、これに限定されず、第１光源５１の数は、適宜変更することができる。第１光源５１は、少なくとも１つ以上であればよく、例えば、５つ以上であってもよい。
【００３３】
図７に示すように、複数の第１光源５１は、ＦＰＣ（Flexible  Printed  Circuits）８１に設けられる。ＦＰＣ８１は、フレキシブルプリント回路基板である。ＦＰＣ８１は、例えば、可撓性を有するポリイミドフィルムに導体箔を張り合わせた基板である。ＦＰＣ８１は、光源駆動部９８（図２参照）と、複数の第１光源５１とを接続する。同様に、図２に示すように、複数の第２光源５２は、ＦＰＣ８２に設けられる。複数の第３光源５３は、ＦＰＣ８３に設けられる。複数の第４光源５４は、ＦＰＣ８４に設けられる。ＦＰＣ８２、８３、８４は、光源駆動部９８と、各光源（第２光源５２、第３光源５３、第４光源５４）とをそれぞれ接続する。
【００３４】
図７に示すように、第２主面３１ｂ及び第２重畳面３１ｄに反射層６１が設けられる。反射層６１は、遮光性を有するフィルム状の基材の両面に、光を反射する反射層を形成した機能性フィルムである。反射層６１は、入射する光を反射する機能と、遮光する機能を備える。フィルム状の基材としては、例えば、着色された樹脂フィルムを用いることができる。反射層としては、銀等の金属薄膜や多層膜などでもよい。
【００３５】
図７に示すように、第２主面３１ｂ及び第２重畳面３１ｄには、複数の溝４７が形成される。複数の溝４７は、Ｘ方向に配置され、第２側面３１ｆに近づくにしたがって、Ｚ方向の深さが深くなる。複数の溝４７により、第２主面３１ｂ及び第２重畳面３１ｄには、第１光源５１からの光Ｌ１を散乱する散乱領域が形成される。第１光源５１からの光Ｌ１は、反射と散乱を繰り返しつつ、第１導光板３１の内部を第１側面３１ｅから第２側面３１ｆに向かって進行する。光Ｌ１の一部は、複数の溝４７により散乱されて第１重畳面３１ｃから照射される。また、第１主面３１ａと第２主面３１ｂとの間を進行する光Ｌ１のうち、複数の溝４７により散乱された光が、第１主面３１ａ及び第１重畳面３１ｃから照射される。このように、第１主面３１ａ及び第１重畳面３１ｃを含む発光面ＬＳ１の全面から光Ｌ１が照射される。
【００３６】
なお、第１導光板３１の構成は、あくまで一例であり、適宜変更することができる。例えば、第１側面３１ｅ及び第２側面３１ｆは、曲面である構成に限定されず、平面視で直線状となる平面であってもよい。また、第５側面３１ｉは第３側面３１ｇと平行な面であり、第６側面３１ｊは第４側面３１ｈと平行な面であるが、これに限定されない。第５側面３１ｉは、第３側面３１ｇに対して傾斜する方向に延びていてもよく、第６側面３１ｊは、第４側面３１ｈに対して傾斜する方向に延びていてもよい。
【００３７】
図４に示すように、第２導光板３２、第３導光板３３及び第４導光板３４は、第１導光板３１と同様の構成を有する。第１導光板３１、第２導光板３２、第３導光板３３及び第４導光板３４が組み合わされて、それぞれの発光面ＬＳ１、ＬＳ２、ＬＳ３、ＬＳ４から光が照射される。
【００３８】
第２導光板３２は、第１導光板３１に対して９０°回転した向きで配置される。第３導光板３３は、第２導光板３２に対して９０°回転した向きで配置される。第４導光板３４は、第３導光板３３に対して９０°回転した向きで配置される。第１導光板３１は、第４導光板３４に対して９０°回転した向きで配置される。言い換えると、第２導光板３２の第３側面３２ｇは、第１導光板３１の第３側面３１ｇと直交する方向に設けられる。第３導光板３３の第３側面３３ｇは、第２導光板３２の第３側面３２ｇと直交する方向に設けられる。第４導光板３４の第３側面３４ｇは、第３導光板３３の第３側面３３ｇと直交する方向に設けられる。第１導光板３１の第３側面３１ｇは、第４導光板３４の第３側面３４ｇと直交する方向に設けられる。このようにして、第１導光板３１、第２導光板３２、第３導光板３３及び第４導光板３４が組み合わされる。
【００３９】
これにより、第３側面３１ｇ、３２ｇ、３３ｇ、３４ｇ及び第４側面３１ｈ、３２ｈ、３３ｈ、３４ｈは、平面視で環状に配置されて、導光板３０の外周面を構成する。具体的には、第１導光板３１の第３側面３１ｇ及び第２導光板３２の第４側面３２ｈは、平面視で、直線状に配置されて導光板３０の一辺を構成する。同様に、第２導光板３２の第３側面３２ｇ及び第３導光板３３の第４側面３３ｈは、平面視で、直線状に配置されて導光板３０の一辺を構成する。第３導光板３３の第３側面３３ｇ及び第４導光板３４の第４側面３４ｈは、平面視で、直線状に配置されて導光板３０の一辺を構成する。第４導光板３４の第３側面３４ｇ及び第１導光板３１の第４側面３１ｈは、平面視で、直線状に配置されて導光板３０の一辺を構成する。第３側面３１ｇ、３２ｇ、３３ｇ、３４ｇ及び第４側面３１ｈ、３２ｈ、３３ｈ、３４ｈは、四角形状に配置される。本実施形態では、導光板３０は、全体として正方形状である。
【００４０】
なお、これに限定されず、導光板３０は、全体として矩形状、多角形状等、他の形状であってもよい。また、導光板３０は、４つの第１導光板３１、第２導光板３２、第３導光板３３及び第４導光板３４で構成されるが、これに限定されない。導光板３０は、少なくとも２つ以上の導光板を含んでいればよく、例えば、５つ以上の導光板を組み合わせた構成であってもよい。また、第１導光板３１、第２導光板３２、第３導光板３３及び第４導光板３４は、互いに異なる形状を有していてもよい。
【００４１】
第１導光板３１、第２導光板３２、第３導光板３３及び第４導光板３４は、例えば、筐体の内部に組み込むことにより第１導光板３１、第２導光板３２、第３導光板３３及び第４導光板３４が組み合わされる構成を採用することもできる。
【００４２】
図４に示すように、第２導光板３２の第１側面３２ｅに対向して複数の第２光源５２が設けられる。また、第３導光板３３の第１側面３３ｅに対向して複数の第３光源５３が設けられる。第４導光板３４の第１側面３４ｅに対向して複数の第４光源５４が設けられる。第１導光板３１、第２導光板３２、第３導光板３３及び第４導光板３４が組み合わされることにより、全ての第１光源５１、第２光源５２、第３光源５３及び第４光源５４は、第３側面３１ｇ、３２ｇ、３３ｇ、３４ｇで囲まれる領域内に配置される。
【００４３】
複数の第１光源５１は、第４導光板３４の第３側面３４ｇに対して交差する方向に円弧状に配列される。複数の第２光源５２は、第１導光板３１の第３側面３１ｇに対して交差する方向に円弧状に配列される。複数の第３光源５３は、第２導光板３２の第３側面３２ｇに対して交差する方向に円弧状に配列される。複数の第４光源５４は、第３導光板３３の第３側面３３ｇに対して交差する方向に円弧状に配列される。
【００４４】
第１光源５１、第２光源５２、第３光源５３及び第４光源５４と重なって、各光源が設けられた導光板と隣り合う他の導光板の第２側面３１ｆ、３２ｆ、３３ｆ、３４ｆ側の端部が配置される。具体的には、図４及び図８に示すように、第１導光板３１の第１重畳面３１ｃの上に、第１導光板３１とは異なる他の第４導光板３４の第２側面３４ｆ側の端部が重なって配置される。つまり、第１重畳面３１ｃの一部と、第４導光板３４の第２主面３４ｂの一部とが対向する。第２側面３４ｆは、第１重畳面３１ｃに重なって配置され、第１側面３１ｅは、第２主面３４ｂの下側に配置される。これにより、第１導光板３１の第１光源５１の上には、第４導光板３４の第２側面３４ｆ側の端部が重なって配置される。第１導光板３１の第１主面３１ａと、第４導光板３４の第１主面３４ａは、同一平面に配置される。また、第１光源５１と第４導光板３４との間に反射層６４が設けられる。
【００４５】
同様に、第２導光板３２の第１重畳面３２ｃの上に、第１導光板３１の第２側面３１ｆ側の端部が重なって配置される。つまり、第１重畳面３２ｃの一部と、第１導光板３１の第２主面３１ｂの一部とが対向する。第２側面３１ｆは、第１重畳面３２ｃに重なって配置され、第１側面３２ｅは、第２主面３１ｂの下側に配置される。これにより、第２導光板３２の第２光源５２の上には、第１導光板３１の第２側面３１ｆ側の端部が重なって配置される。また、第２光源５２と第１導光板３１との間に反射層６１が設けられる。
【００４６】
図４に示すように、第３導光板３３の第３光源５３と、第２導光板３２との配置の関係、及び第４導光板３４の第４光源５４と、第３導光板３３との配置の関係も同様である。すなわち、第３導光板３３の第３光源５３の上には、第２導光板３２の第２側面３２ｆ側の端部が重なって配置される。また、第４導光板３４の第４光源５４の上には、第３導光板３３の第２側面３３ｆ側の端部が重なって配置される。本実施形態では、４つの第１主面３１ａ、３２ａ、３３ａ、３４ａは、同一平面に配置される。
【００４７】
図８に示すように、第１導光板３１には、第１散乱領域Ｒａと第２散乱領域Ｒｂとが設けられる。第１散乱領域Ｒａは、複数の溝４７を含み、第２光源５２と重なる領域である。第２散乱領域Ｒｂは、複数の溝４７を含み、第２光源５２と重ならない領域である。このような構成により、第１光源５１からの光Ｌ１は、第１主面３１ａの全面から表示パネル２に照射される。すなわち、第２導光板３２の第２光源５２と重なる領域においても、光Ｌ１が照射される。第１散乱領域Ｒａの一部は、第２導光板３２の散乱領域と重なっていてもよい。また、第２散乱領域Ｒｂの一部は、第２導光板３２の散乱領域と重なっていてもよい。
【００４８】
具体的には、図８に示すように、第１光源５１から照射された光Ｌ１は、第１側面３１ｅから第１導光板３１に入射する。光Ｌ１の一部は、第１重畳面３１ｃのうち第４導光板３４と重ならない部分から、表示パネル２に向けて照射される。光Ｌ１は、第１重畳面３１ｃと第２重畳面３１ｄとの間を通って、第２散乱領域Ｒｂ及び第１散乱領域Ｒａに向かって進行する。光Ｌ１は、第２散乱領域Ｒｂ及び第１散乱領域Ｒａで散乱される。第１散乱領域Ｒａで散乱された光Ｌ１ａ及び第２散乱領域Ｒｂで散乱された光Ｌ１ｂは、第１導光板３１の第１主面３１ａから表示パネル２に向けて照射される。光Ｌ１ａ、Ｌ１ｂは、拡散板１５、１６とプリズムシート１４を通って、表示パネル２に入射する。
【００４９】
同様に、第４導光板３４において、第４光源５４からの光Ｌ４（図２参照）は、散乱領域で散乱される。第１導光板３１の第１光源５１と重なる領域で散乱された光Ｌ４ａ及び第１光源５１と重ならない領域で散乱された光Ｌ４ｂは、第１主面３４ａから表示パネル２に向けて照射される。
【００５０】
図８に示すように、拡散板１５、１６と、プリズムシート１４は、第１導光板３１、第２導光板３２、第３導光板３３（図８では図示しない）及び第４導光板３４に重なって、設けられる。プリズムシート１４は、入射する光の出射方向を制御する光学シートである。プリズムシート１４は、例えば、表面にプリズムが形成されたアクリル系の樹脂フィルムである。拡散板１５、１６は、入射する光を拡散させる光学フィルムである。拡散板１５は、例えば、表面にランダムな凹凸が形成されたアクリル樹脂フィルムである。なお、本実施形態では、２つの拡散板１５、１６が積層されているが、これに限定されない。例えば、１つの拡散板１５と、プリズムシート１４とが積層された構成であってもよい。
【００５１】
同様に、図４に示すように、第２導光板３２において、第２光源５２からの光Ｌ２（図２参照）は、第３導光板３３の第３光源５３と重なる領域を含む第１主面３２ａの全面から照射される。第３導光板３３において、第３光源５３からの光Ｌ３（図２参照）は、第４導光板３４の第４光源５４と重なる領域を含む第１主面３３ａの全面から照射される。
【００５２】
以上説明したように、本実施形態のバックライト３は、複数の第１導光板３１、第２導光板３２、第３導光板３３及び第４導光板３４が組み合わされて、複数の第３側面３１ｇ、３２ｇ、３３ｇ、３４ｇは、平面視で環状に配置されて外周面を構成する。第１光源５１、第２光源５２、第３光源５３及び第４光源５４の上には、当該光源が設けられた導光板とは異なる他の導光板の第２側面３１ｆ、３２ｆ、３３ｆ、３４ｆ側の端部がそれぞれ重なって配置される。そして、全ての第１光源５１、第２光源５２、第３光源５３及び第４光源５４は、複数の第３側面３１ｇ、３２ｇ、３３ｇ、３４ｇで囲まれた領域内に配置される。
【００５３】
このような構成により、全ての第１光源５１、第２光源５２、第３光源５３及び第４光源５４と重なる領域においても、光Ｌ１、Ｌ２、Ｌ３、Ｌ４を表示パネル２に向けて照射することができる。つまり、第１光源５１、第２光源５２、第３光源５３及び第４光源５４の配置に起因する周辺領域Ｇｄの増大を抑制することができる。このため、図８に示すように、表示パネル２において、バックライト３と重なるほぼ全ての領域を表示領域Ａｄとして用いることができ、周辺領域Ｇｄを小さくすることができる。
【００５４】
なお、反射層６１は、第２主面３１ｂ及び第２重畳面３１ｄに設けられている。ただし、これに限定されず、反射層６１は、第２主面３１ｂのうち、第２光源５２と重なる領域、つまり第１散乱領域Ｒａに設けられ、第２散乱領域Ｒｂ及び第２重畳面３１ｄに設けられない構成としてもよい。この場合であっても、観察者から第１光源５１が視認されることを抑制できる。反射層６２、反射層６３（図１参照）及び反射層６４も同様である。
【００５５】
また、図４に示すように、第１導光板３１、第２導光板３２、第３導光板３３及び第４導光板３４は、点Ｃで互いに接することが好ましい。ここで、点Ｃは、第３側面３１ｇ、３２ｇ、３３ｇ、３４ｇ及び第４側面３１ｈ、３２ｈ、３３ｈ、３４ｈで形成される四角形状の、対角線の交点と重なる位置である。具体的には、第１導光板３１の第６側面３１ｊは第２導光板３２の第５側面３２ｉと接する。また、第１導光板３１の第５側面３１ｉは、平面視で、第２導光板３２の第６側面３２ｊと同一直線上に配置される。同様に、第２導光板３２の第６側面３２ｊは第３導光板３３の第５側面３３ｉと接する。第３導光板３３の第６側面３３ｊは第４導光板３４の第５側面３４ｉと接する。第４導光板３４の第６側面３４ｊは第１導光板３１の第５側面３１ｉと接する。これにより、点Ｃの近傍で隙間が生じることが抑制される。このため、バックライト３は、表示領域Ａｄの全体で均一に光を照射することができる。
【００５６】
図４に示すように、第１導光板３１、第２導光板３２、第３導光板３３及び第４導光板３４の周囲に反射層６５、６６、６７、６８が設けられている。反射層６５は、第１導光板３１の第３側面３１ｇ及び第４側面３１ｈに設けられている。反射層６６は、第２導光板３２の第３側面３２ｇ及び第４側面３２ｈに設けられている。反射層６７は、第３導光板３３の第３側面３３ｇ及び第４側面３３ｈに設けられている。反射層６８は、第４導光板３４の第３側面３４ｇ及び第４側面３４ｈに設けられている。反射層６５、６６、６７、６８は、反射層６１（図７、８参照）と同様に、入射する光を反射する機能と、遮光する機能を備える。反射層６５、６６、６７、６８が設けられているため、光が第３側面３１ｇ、３２ｇ、３３ｇ、３４ｇ及び第４側面３１ｈ、３２ｈ、３３ｈ、３４ｈから外部に漏れることを抑制でき、光の利用効率を向上させることができる。
【００５７】
ここで、第１導光板３１を代表例として説明すると、第１光源５１からの光は、第２側面３１ｆの近傍で集中する可能性がある。これにより、バックライト３からの光の均一性が低下する場合がある。この場合、第２側面３１ｆに遮光層を設けることが好ましい。同様に、図４に示す領域Ｅにおいて、第１導光板３１の第５側面３１ｉ及び第６側面３１ｊの近傍で、光が集中する可能性がある。この場合、拡散板１５又は拡散板１６の少なくとも一方について、領域Ｅと重なる部分の光の透過率を、領域Ｅと重ならない部分と異ならせることで、光の均一性を高めることができる。
【００５８】
また、図８に示すように、第４導光板の第２側面３４ｆは、第１導光板３１の第１重畳面３１ｃに接している。ただし、これに限定されず、第４導光板の第２側面３４ｆは、第１導光板３１の第１重畳面３１ｃと離れて配置されていてもよい。
【００５９】
（第１変形例）
図９は、第１実施形態の第１変形例に係る第１導光板の断面図である。本変形例の第１導光板３１Ａの平面形状は、図６と同様である。また、本変形例のバックライト３Ａにおいても、複数の導光板を組み合わせる構成は、図３及び図４と同様である。
【００６０】
図９に示すように、第１導光板３１Ａは、発光面ＬＳＡ１と、対向面ＯＳＡ１と、第１側面３１Ａｅと、第２側面３１Ａｆと、を含む。発光面ＬＳＡ１は、第１主面３１Ａａと第１重畳面３１Ａｃとを含む。第１主面３１Ａａは、Ｘ方向とＹ方向とが成す平面である。第１重畳面３１Ａｃは、第１主面３１Ａａと連結され、第１主面３１Ａａに対して傾いて設けられる。
【００６１】
対向面ＯＳＡ１は、第２主面３１Ａｂと第２重畳面３１Ａｄとを含む。第２重畳面３１Ａｄは、第１重畳面３１Ａｃと対向する面である。第１重畳面３１Ａｃと、第２重畳面３１Ａｄとは、実質的に平行に設けられる。第２主面３１Ａｂは、第１主面３１Ａａと反対側の面である。第２主面３１Ａｂは、第１主面３１Ａａに対して傾斜して設けられる。第１主面３１Ａａと第２主面３１Ａｂとの間の距離は、第１側面３１Ａｅから第２側面３１Ａｆに近づくにしたがって小さくなる。つまり、第２側面３１Ａｆ側の第１主面３１Ａａと第２主面３１Ａｂとの距離ｔｂは、第１側面３１Ａｅ側の第１主面３１Ａａと第２主面３１Ａｂとの距離ｔａよりも小さい。言い換えると、第１導光板３１の厚さは、第２側面３１Ａｆに近づくにしたがって薄くなる。
【００６２】
これにより、各第１光源５１からの光Ｌ１は、第１側面３１Ａｅから第２側面３１Ａｆに近づくにしたがって、第１導光板３１Ａで反射及び散乱が生じやすくなる。これにより、光Ｌ１の利用効率を向上できる。また、第２側面３１Ａｆ側の端部では、第２主面３１Ａｂの下側の空間が、第１側面３１Ａｅ側よりも大きくなる。このため、複数の導光板と組み合わされた場合に、他の導光板に設けられた第２光源５２（図８参照）の配置の自由度を大きくすることができる。また、全体としてバックライト３Ａの薄型化を図ることができる。
【００６３】
図９に示すように、第１主面３１Ａａ及び第１重畳面３１Ａｃには複数のドット４８が設けられる。複数のドット４８により散乱領域が形成される。ドット４８は、複数の導光板と組み合わされた場合に、他の導光板に設けられた第２光源５２（図８参照）と重なる領域にも形成される。したがって、第１光源５１から照射された光Ｌ１は、第２光源５２（図８参照）と重なる領域を含む、第１主面３１ａの全面から照射される。
【００６４】
ドット４８の大きさは、第１側面３１Ａｅ側から第２側面３１Ａｆ側に向かうにしたがって大きくなる。これにより、第１主面３１Ａａ及び第１重畳面３１Ａｃから出射する光の強度のばらつきを抑制できる。ドット４８の大きさを異ならせる構成に限定されず、ドット４８の配置密度を異ならせてもよい。ここで、配置密度とは、単位面積あたりのドット４８の個数である。
【００６５】
（第２変形例）
図１０は、第１実施形態の第２変形例に係る第１導光板の平面図である。本変形例のバックライト３Ｂにおいても、複数の導光板を組み合わせる構成は、図３及び図４と同様である。
【００６６】
図１０に示すように、本変形例において、第１導光板３１Ｂの第１側面３１Ｂｅに沿って複数の第１光源５１が配置される。第１光源５１の配置ピッチＤ１、Ｄ２、Ｄ３、Ｄ４、Ｄ５は、第４側面３１Ｂｈから第５側面３１Ｂｉに向かうにしたがって大きくなる。言い換えると、第１光源５１の配置ピッチＤ１、Ｄ２、Ｄ３、Ｄ４、Ｄ５は、第２側面３１Ｂｆから離れるにしたがって小さくなり、第３側面３１Ｂｇから離れるにしたがって大きくなる。ここで、第１光源５１の配置ピッチＤ１、Ｄ２、Ｄ３、Ｄ４、Ｄ５は、第１側面３１Ｂｅに沿った方向に隣り合う第１光源５１の中心間の距離である。
【００６７】
第１側面３１Ｂｅから第２側面３１Ｂｆまでの距離は、第３側面３１Ｂｇに近づくにしたがって長くなる。このため、第１光源５１からの光Ｌ１の経路は、第１側面３１Ｂｅに近い位置の第１光源５１ほど長くなる。本実施形態では、第１光源５１の配置ピッチＤ１、Ｄ２、Ｄ３、Ｄ４、Ｄ５を異ならせており、光Ｌ１の経路が長いほど、第１光源５１の配置密度が高くなる。このため、本変形例では、第１主面３１Ｂａ及び第１重畳面３１Ｂｃを含む発光面ＬＳＢ１から照射される光の強度のばらつきを抑制できる。
【００６８】
なお、第１光源５１の配置ピッチＤ１、Ｄ２、Ｄ３、Ｄ４、Ｄ５が等しい場合において、光源駆動部９８（図２参照）は、複数の第１光源５１ごとに光量を調整してもよい。例えば、光源駆動部９８は、第３側面３１Ｂｇに近づくにしたがって、第１光源５１の光量を大きくするように制御することができる。これにより、光の強度のばらつきを抑制できる。或いは、第１光源５１の配置ピッチＤ１、Ｄ２、Ｄ３、Ｄ４、Ｄ５を異ならせて配置した場合であっても、光源駆動部９８（図２参照）は、複数の第１光源５１ごとに光量を調整してもよい。
【００６９】
（第２実施形態）
図１１は、第２実施形態に係る照明装置の斜視図である。図１２は、第２実施形態に係る照明装置の平面図である。図１３は、第２実施形態に係る照明装置が有する第１導光板の斜視図である。図１４は、第２実施形態に係る照明装置が有する第１導光板の平面図である。
【００７０】
図１１及び図１２に示すように、本実施形態のバックライト３Ｃは、平面視で円形状である。なお、図１１から図１４では、表示パネル２（図８参照）等を省略して示す。本実施形態において、表示パネル２の表示領域Ａｄもバックライト３Ｃに対応する円形状である。また、第１基材１０及び第２基材１１も円形状であってもよい。
【００７１】
図１１及び図１２に示すように、導光板３０Ｃは、第１導光板３１Ｃと、第２導光板３２Ｃと、第３導光板３３Ｃと、第４導光板３４Ｃとが組み合わされる。第１導光板３１Ｃは、第２導光板３２Ｃと周方向に隣り合って配置される。第２導光板３２Ｃは、第３導光板３３Ｃと周方向に隣り合って配置される。第３導光板３３Ｃは第４導光板３４Ｃと周方向に隣り合って配置される。第４導光板３４Ｃは第１導光板３１Ｃと周方向に隣り合って配置される。導光板３０Ｃは、全体として、平面視で中心Ｃ１を中心とする円形状である。
【００７２】
図１３及び図１４に示すように、第１導光板３１Ｃは、発光面ＬＳＣ１と、対向面ＯＳＣ１と、第１側面３１Ｃｅと、第２側面３１Ｃｆと、第３側面３１Ｃｇと、第４側面３１Ｃｈと、第５側面３１Ｃｉと、第６側面３１Ｃｊと、第７側面３１Ｃｋと、を有する。発光面ＬＳＣ１は、第１主面３１Ｃａと第１重畳面３１Ｃｃとを含む。対向面ＯＳＣ１は、発光面ＬＳＣ１と反対側の面であり、第２主面３１Ｃｂと第２重畳面３１Ｃｄとを含む。
【００７３】
第１導光板３１Ｃの断面構造は、図７に示す第１導光板３１の断面構造と同様である。すなわち、第１主面３１Ｃａは、Ｘ方向とＹ方向とが成す平面である。第２主面３１Ｃｂは、第１主面３１Ｃａと反対側の面である。第１重畳面３１Ｃｃは、第１主面３１Ｃａと連結され、第１主面３１Ｃａに対して傾いて設けられる。第２重畳面３１Ｃｄは、第１重畳面３１Ｃｃと対向する面である。第２重畳面３１Ｃｄは、第２主面３１Ｃｂと連結され、第１重畳面３１Ｃｃと同じ角度で第２主面３１Ｃｂに対して傾いて設けられる。第１主面３１Ｃａと、第２主面３１Ｃｂとは、実質的に平行に設けられる。また、第１重畳面３１Ｃｃと、第２重畳面３１Ｃｄとは、実質的に平行に設けられる。
【００７４】
図１３に示すように、第１側面３１Ｃｅは、第１重畳面３１Ｃｃと第２重畳面３１Ｃｄとの間の面である。第２側面３１Ｃｆは、第１主面３１Ｃａと第２主面３１Ｃｂとの間の面であり、第１側面３１Ｃｅと対向する。また、第３側面３１Ｃｇは、第１主面３１Ｃａと第２主面３１Ｃｂとの間の面である。第３側面３１Ｃｇの一端は、第７側面３１Ｃｋと連結され、第３側面３１Ｃｇの他端は、第４側面３１Ｃｈと連結される。
【００７５】
図１４に示すように、第１側面３１Ｃｅ、第２側面３１Ｃｆ及び第３側面３１Ｃｇは、平面視で円弧状となる曲面である。第１側面３１Ｃｅは、第３側面３１Ｃｇとは反対側に位置する点を中心とした円弧を描く。第１側面３１Ｃｅは、第３側面３１Ｃｇに近づく方向に凹となる。また、第２側面３１Ｃｆは、第３側面３１Ｃｇ側に位置する点を中心とした円弧を描く。第２側面３１Ｃｆは、第３側面３１Ｃｇから離れる方向に凸となる。第３側面３１Ｃｇは、中心Ｃ１（図１１参照）を中心とした円弧を描く。第１側面３１Ｃｅ及び第２側面３１Ｃｆは、第３側面３１Ｃｇよりも小さい半径を有する円弧となる。第３側面３１Ｃｇは、第１側面３１Ｃｅ及び第２側面３１Ｃｆと対向する。
【００７６】
図１４に示すように、第４側面３１Ｃｈは、第３側面３１Ｃｇから屈曲して、Ｙ方向に沿って直線状に設けられる。また、第４側面３１Ｃｈは、第１重畳面３１Ｃｃと第２重畳面３１Ｃｄとの間の面であり、第１側面３１Ｃｅの一端と連結される。第３側面３１Ｃｇと第４側面３１Ｃｈとが連結される位置は、第１主面３１Ｃａと第１重畳面３１Ｃｃとの境界と重なる。
【００７７】
第５側面３１Ｃｉは、第１側面３１Ｃｅの他端と連結される。第５側面３１Ｃｉは、Ｘ方向に沿って直線状に設けられる。第５側面３１Ｃｉは、第１重畳面３１Ｃｃと第２重畳面３１Ｃｄとの間の面である。第５側面３１ＣｉのＸ方向の長さは、第４側面３１ＣｈのＹ方向の長さと等しい。つまり、第１重畳面３１Ｃｃの径方向の幅は、周方向に沿って一定となる。
【００７８】
図１４に示すように、第６側面３１Ｃｊは、Ｙ方向に沿って直線状に設けられる。つまり、第６側面３１Ｃｊは、第４側面３１Ｃｈと平行な面であり、第５側面３１Ｃｉと直交する面である。第６側面３１Ｃｊは、第２側面３１Ｃｆの端部からＹ方向に屈曲して設けられ、第５側面３１Ｃｉの端部と連結される。第５側面３１Ｃｉと第６側面３１Ｃｊとが連結される位置は、第１主面３１Ｃａと第１重畳面３１Ｃｃとの境界と重なる。
【００７９】
第７側面３１Ｃｋは、Ｘ方向に沿って直線状に設けられる。つまり、第７側面３１Ｃｋは、第４側面３１Ｃｈと直交する面であり、第５側面３１Ｃｉと平行な面である。第７側面３１Ｃｋは、第３側面３１Ｃｇの端部から径方向の内側に屈曲して設けられ、第２側面３１Ｃｆの端部と連結される。
【００８０】
本実施形態においても、第１光源５１は、第１側面３１Ｃｅに対向して設けられる。第１光源５１は、第１側面３１Ｃｅに沿って等間隔に配置される。なお、これに限定されず、第１光源５１は、図１０に示す例と同様に、異なる配置ピッチで配置されてもよい。
【００８１】
なお、第１導光板３１Ｃの構成は、あくまで一例であり、適宜変更することができる。例えば、第１側面３１Ｃｅ及び第２側面３１Ｃｆは、曲面である構成に限定されず、平面視で直線状となる平面であってもよい。また、第４側面３１Ｃｈ、第５側面３１Ｃｉ、第６側面３１Ｃｊ及び第７側面３１Ｃｋについても、長さや向きは適宜変更することができる。第４側面３１Ｃｈ、第５側面３１Ｃｉ、第６側面３１Ｃｊ及び第７側面３１Ｃｋのいずれかが形成されない構成であってもよい。
【００８２】
図１２に示すように、第２導光板３２Ｃ、第３導光板３３Ｃ及び第４導光板３４Ｃは、第１導光板３１Ｃと同様の構成を有する。第２導光板３２Ｃは、第１導光板３１Ｃに対して９０°回転した向きで配置される。第３導光板３３Ｃは、第２導光板３２Ｃに対して９０°回転した向きで配置される。第４導光板３４Ｃは、第３導光板３３Ｃに対して９０°回転した向きで配置される。第１導光板３１Ｃは、第４導光板３４Ｃに対して９０°回転した向きで配置される。このようにして、第１導光板３１Ｃ、第２導光板３２Ｃ、第３導光板３３Ｃ及び第４導光板３４Ｃが組み合わされる。
【００８３】
これにより、第３側面３１Ｃｇ、３２Ｃｇ、３３Ｃｇ、３４Ｃｇは、平面視で環状に配置されて、導光板３０Ｃの外周面となる。具体的には、第１導光板３１Ｃの第３側面３１Ｃｇの一端と、第２導光板３２Ｃの第３側面３２Ｃｇの他端とが接する。第２導光板３２Ｃの第３側面３２Ｃｇの一端と、第３導光板３３Ｃの第３側面３３Ｃｇの他端とが接する。第３導光板３３Ｃの第３側面３３Ｃｇの一端と、第４導光板３４Ｃの第３側面３４Ｃｇの他端とが接する。第４導光板３４Ｃの第３側面３４Ｃｇの一端と、第１導光板３１Ｃの第３側面３１Ｃｇの他端とが接する。これにより、第３側面３１Ｃｇ、３２Ｃｇ、３３Ｃｇ、３４Ｃｇは、平面視で円形状に配置される。
【００８４】
本実施形態においても、図１２に示すように、第２導光板３２Ｃの第１側面３２Ｃｅに対向して複数の第２光源５２が設けられる。また、第３導光板３３Ｃの第１側面３３Ｃｅに対向して複数の第３光源５３が設けられる。第４導光板３４Ｃの第１側面３４Ｃｅに対向して複数の第４光源５４が設けられる。第１導光板３１Ｃ、第２導光板３２Ｃ、第３導光板３３Ｃ及び第４導光板３４Ｃが組み合わされることにより、全ての第１光源５１、第２光源５２、第３光源５３及び第４光源５４は、第３側面３１Ｃｇ、３２Ｃｇ、３３Ｃｇ、３４Ｃｇで囲まれる領域内に配置される。また、第１主面３１Ｃａ、第１主面３２Ｃａ、第１主面３３Ｃａ及び第１主面３４Ｃａは、同一平面に配置される。
【００８５】
第１光源５１、第２光源５２、第３光源５３及び第４光源５４と重なって、第１導光板３１Ｃ、第２導光板３２Ｃ、第３導光板３３Ｃ及び第４導光板３４Ｃのいずれかが配置される。具体的には、図１２に示すように、第１導光板３１Ｃの第１重畳面３１Ｃｃの上に、第１導光板３１Ｃとは異なる他の第４導光板３４Ｃの第２側面３４Ｃｆ側の端部が重なって配置される。また、第１導光板３１Ｃの第４側面３１Ｃｈは、第４導光板３４Ｃの第７側面３４Ｃｋと接する。これにより、第１導光板３１Ｃの第１光源５１の上には、第１導光板３１Ｃとは異なる第４導光板３４Ｃの第２側面３４Ｃｆ側の端部が重なって配置される。なお、第１実施形態と同様に、第１光源５１と第４導光板３４Ｃとの間に図示しない反射層が設けられる。
【００８６】
同様に、第２導光板３２Ｃの第２光源５２の上には、第１導光板３１Ｃの第２側面３１Ｃｆ側の端部が重なって配置される。第３導光板３３Ｃの第３光源５３の上には、第２導光板３２Ｃの第２側面３２Ｃｆ側の端部が重なって配置される。また、第４導光板３４Ｃの第４光源５４の上には、第３導光板３３Ｃの第２側面３３Ｃｆ側の端部が重なって配置される。
【００８７】
このように、本実施形態のバックライト３Ｃにおいても、複数の第１導光板３１Ｃ、第２導光板３２Ｃ、第３導光板３３Ｃ及び第４導光板３４Ｃが組み合わされて、複数の第３側面３１Ｃｇ、３２Ｃｇ、３３Ｃｇ、３４Ｃｇは平面視で環状に配置されて外周面を構成する。全ての第１光源５１、第２光源５２、第３光源５３及び第４光源５４の上には、当該光源が設けられた導光板とは異なる他の導光板の第２側面３１Ｃｆ、３２Ｃｆ、３３Ｃｆ、３４Ｃｆ側の端部がそれぞれ重なって配置される。そして、全ての第１光源５１、第２光源５２、第３光源５３及び第４光源５４は、複数の第３側面３１Ｃｇ、３２Ｃｇ、３３Ｃｇ、３４Ｃｇで囲まれた領域内に配置される。
【００８８】
このような構成により、全ての第１光源５１、第２光源５２、第３光源５３及び第４光源５４と重なる領域においても、光Ｌ１、Ｌ２、Ｌ３、Ｌ４を表示パネル２に向けて照射することができる。つまり、第１光源５１、第２光源５２、第３光源５３及び第４光源５４の配置に起因する周辺領域Ｇｄ（図８参照）の増大を抑制することができる。このためバックライト３Ｃに積層される表示パネル２（図８参照）において、バックライト３Ｃと重なるほぼ全ての領域を表示領域Ａｄとして用いることができ、周辺領域Ｇｄを小さくすることができる。
【００８９】
なお、図１２に示すように、第２導光板３２Ｃの第４側面３２Ｃｈは、第１導光板３１Ｃの第７側面３１Ｃｋと接する。第３導光板３３Ｃの第４側面３３Ｃｈは、第２導光板３２Ｃの第７側面３２Ｃｋと接する。第４導光板３４Ｃの第４側面３４Ｃｈは、第３導光板３３Ｃの第７側面３３Ｃｋと接する。これにより、第３側面３１Ｃｇ、３２Ｃｇ、３３Ｃｇ、３４Ｃｇの縁部に沿って、隙間の発生が抑制される。
【００９０】
ここで、例えば第１導光板３１を代表例として、第７側面３１Ｃｋと第３側面３１Ｃｇとの距離は、他の側面どうしの距離よりも小さい。このため、第１光源５１からの光Ｌ１は、第７側面３１Ｃｋの端部まで届きにくい可能性がある。この場合、第７側面３１Ｃｋと第３側面３１Ｃｇとで挟まれた領域において、第１主面３１Ｃａと第２主面３１Ｃｂ（図１３参照）との距離を、例えば第２側面３１Ｃｆと第３側面３１Ｃｇとで挟まれた他の領域よりも小さくすることが好ましい。こうすれば光Ｌ１の利用効率を高めることができる。
【００９１】
また、図１２に示すように、第１導光板３１Ｃ、第２導光板３２Ｃ、第３導光板３３Ｃ及び第４導光板３４Ｃは、中心Ｃ１で互いに接することが好ましい。具体的には、第１導光板３１Ｃの第６側面３１Ｃｊは第２導光板３２Ｃの第５側面３２Ｃｉと接する。また、第１導光板３１Ｃの第５側面３１Ｃｉは、平面視で、第２導光板３２Ｃの第６側面３２Ｃｊと同一直線上に配置される。第３導光板３３Ｃ及び第４導光板３４Ｃも、同様に配置される。第２導光板３２Ｃの第６側面３２Ｃｊは第３導光板３３Ｃの第５側面３３Ｃｉと接する。第３導光板３３Ｃの第６側面３３Ｃｊは第４導光板３４Ｃの第５側面３４Ｃｉと接する。第４導光板３４Ｃの第６側面３４Ｃｊは第１導光板３１Ｃの第５側面３１Ｃｉと接する。これにより、中心Ｃ１の近傍で隙間が生じることが抑制される。このため、バックライト３Ｃは、表示領域Ａｄの全体で均一に光を照射することができる。
【００９２】
なお、本実施形態のバックライト３Ｃは、図１０から図１２に示した構成に限定されない。例えば、導光板３０Ｃは、全体として楕円形状や、長円形状等、他の形状であってもよい。また、導光板３０Ｃは、４つの第１導光板３１Ｃ、第２導光板３２Ｃ、第３導光板３３Ｃ及び第４導光板３４Ｃで構成されるが、これに限定されない。導光板３０Ｃは、少なくとも２つ以上の導光板を含んでいればよく、例えば、５つ以上の導光板を組み合わせた構成であってもよい。また、第１導光板３１Ｃ、第２導光板３２Ｃ、第３導光板３３Ｃ及び第４導光板３４Ｃは、互いに異なる形状を有していてもよい。
【００９３】
（第３実施形態）
図１５は、第３実施形態に係る照明装置の斜視図である。図１６は、第３実施形態に係る照明装置の側面図である。図１７は、第３実施形態に係る照明装置の平面図である。図１８は、第３実施形態に係る照明装置の底面図である。図１９は、第３実施形態に係る照明装置が有する第１導光板の斜視図である。図２０は、第３実施形態に係る照明装置が有する第１導光板の平面図である。図２１は、第３実施形態に係る照明装置が有する第１導光板の底面図である。
【００９４】
図１５から図１８に示すように、導光板３０Ｄは、第１導光板３１Ｄと、第２導光板３２Ｄと、第３導光板３３Ｄと、第４導光板３４Ｄとが組み合わされる。第１導光板３１Ｄは、第２導光板３２Ｄと周方向に隣り合って配置される。第２導光板３２Ｄは、第３導光板３３Ｄと周方向に隣り合って配置される。第３導光板３３Ｄは第４導光板３４Ｄと周方向に隣り合って配置される。第４導光板３４Ｄは第１導光板３１Ｄと周方向に隣り合って配置される。図１７に示すように、導光板３０Ｄは、全体として、平面視で中心Ｃ２を中心とする円形状である。
【００９５】
図１５に示すように、第１導光板３１Ｄの発光面ＬＳＤ１、第２導光板３２Ｄの発光面ＬＳＤ２、第３導光板３３Ｄの発光面ＬＳＤ３及び第４導光板３４Ｄとの発光面ＬＳＤ４は、いずれも曲面である。第１導光板３１Ｄと、第２導光板３２Ｄと、第３導光板３３Ｄと、第４導光板３４Ｄとが組み合わされることで、導光板３０Ｄの複数の発光面ＬＳＤ１、ＬＳＤ２、ＬＳＤ３、ＬＳＤ４は、全体として、Ｚ方向に凸の半球状に配置される。
【００９６】
なお、図１５から図２１では、表示パネル２（図８参照）等を省略して示す。本実施形態において、表示パネル２もバックライト３Ｄに対応する曲面パネルである。また、表示パネル２の表示領域Ａｄもバックライト３Ｄに対応する円形状である。
【００９７】
図１９に示すように、第１導光板３１Ｄは、発光面ＬＳＤ１と、対向面ＯＳＤ１と、第１側面３１Ｄｅと、第２側面３１Ｄｆと、第３側面３１Ｄｇと、第４側面３１Ｄｈと、を有する。発光面ＬＳＤ１は、第１主面３１Ｄａと第１重畳面３１Ｄｃとを含む。対向面ＯＳＤ１は、発光面ＬＳＤ１と反対側の面であり、第２主面３１Ｄｂと第２重畳面３１Ｄｄとを含む。
【００９８】
第１主面３１Ｄａは、凸の曲面を含む。第２主面３１Ｄｂは、第１主面３１Ｄａと反対側の面である。第１重畳面３１Ｄｃは、第１主面３１Ｄａと連結され、第１主面３１Ｄａに対して径方向の外側に傾いた方向に延出する。第１重畳面３１Ｄｃは、第１側面３１Ｄｅと直交する方向から見たときに、Ｚ方向に凸となる曲面を有する。第２重畳面３１Ｄｄは、第１重畳面３１Ｄｃと対向する面である。第１主面３１Ｄａと、第２主面３１Ｄｂとは、実質的に平行に設けられる。また、第１重畳面３１Ｄｃと、第２重畳面３１Ｄｄとは、実質的に平行に設けられる。
【００９９】
図１９に示すように、第１側面３１Ｄｅは、第１重畳面３１Ｄｃと第２重畳面３１Ｄｄとの間の面である。第２側面３１Ｄｆは、第１主面３１Ｄａと第２主面３１Ｄｂとの間の面である。第３側面３１Ｄｇは、第１重畳面３１Ｄｃと第２重畳面３１Ｄｄとの間の面であり、第１側面３１Ｄｅと交差する方向に延出する。第４側面３１Ｄｈは、第１主面３１Ｄａと第２主面３１Ｄｂとの間の面であり、第２側面３１Ｄｆと交差する方向に延出する。
【０１００】
図２０に示すように、第１側面３１Ｄｅ及び第２側面３１Ｄｆは、平面視で直線状である。平面視で、第１側面３１Ｄｅと第２側面３１Ｄｆとが成す角度は、９０°より大きい。第１側面３１Ｄｅと第２側面３１Ｄｆとの間の、第１主面３１Ｄａの外周は、中心Ｃ２（図１７参照）を中心とした円弧を描く。また、第４側面３１Ｄｈは、第２側面３１Ｄｆから屈曲して、第３側面３１Ｄｇと連結される。第３側面３１Ｄｇと第４側面３１Ｄｈとが連結される位置は、第１主面３１Ｄａと第１重畳面３１Ｄｃとの境界と重なる。
【０１０１】
図２１に示すように、第１導光板３１Ｄは、さらに、底面３１Ｄｉを有する。底面３１Ｄｉは、発光面ＬＳＤ１（図２０参照）と対向面ＯＳＤ１との間の面であり、発光面ＬＳＤ１、対向面ＯＳＤ１、第１側面３１Ｄｅ及び第２側面３１Ｄｆと交差する面である。底面３１Ｄｉは、Ｚ方向と交差する面である。
【０１０２】
底面３１Ｄｉは、第１底面３１Ｄｉａと第２底面３１Ｄｉｂとを含む。ここで、第２側面３１Ｄｆと第４側面３１Ｄｈとが接続される点を通り、第２側面３１Ｄｆに垂直な線を仮想線Ａ３とする。第１底面３１Ｄｉａは、底面３１Ｄｉのうち、仮想線Ａ３と第２側面３１Ｄｆとの間の面である。また、第２底面３１Ｄｉｂは、底面３１Ｄｉのうち、仮想線Ａ３と第１側面３１Ｄｅとの間の面である。第１底面３１Ｄｉａは、中心Ｃ２（図１７参照）を中心とした円弧状である。また、第２底面３１Ｄｉｂは、第１底面３１Ｄｉａよりも大きい曲率を有する円弧状である。
【０１０３】
なお、第１導光板３１Ｄの構成は、あくまで一例であり、適宜変更することができる。例えば、第１側面３１Ｄｅ及び第２側面３１Ｄｆは、平面視で、直線状である構成に限定されず、平面視で曲線状であってもよい。また、第３側面３１Ｄｇ及び第４側面３１Ｄｈについても、長さや向きは適宜変更することができる。第３側面３１Ｄｇ及び第４側面３１Ｄｈのいずれか一方が形成されない構成であってもよい。また、図９と同様に、第１導光板３１Ｄの厚さ、すなわち第１主面３１Ｄａと第２主面３１Ｄｂとの距離は、第１側面３１Ｄｅから第２側面３１Ｄｆに近づくにしたがって小さくしてもよい。
【０１０４】
図１７及び図１８に示すように、第２導光板３２Ｄ、第３導光板３３Ｄ及び第４導光板３４Ｄは、第１導光板３１Ｄと同様の構成を有する。第２導光板３２Ｄは、第１導光板３１Ｄに対して９０°回転した向きで配置される。第３導光板３３Ｄは、第２導光板３２Ｄに対して９０°回転した向きで配置される。第４導光板３４Ｄは、第３導光板３３Ｄに対して９０°回転した向きで配置される。第１導光板３１Ｄは、第４導光板３４Ｄに対して９０°回転した向きで配置される。このようにして、第１導光板３１Ｄ、第２導光板３２Ｄ、第３導光板３３Ｄ及び第４導光板３４Ｄが組み合わされる。
【０１０５】
これにより、図１７に示すように第１主面３１Ｄａ、３２Ｄａ、３３Ｄａ、３４Ｄａは、平面視で円形状に配置される。具体的には、第１導光板３１Ｄの第１主面３１Ｄａは、第２導光板３２Ｄの第１重畳面３２Ｄｃ及び第１主面３２Ｄａの一部と重なる。第２導光板３２Ｄの第１主面３２Ｄａは、第３導光板３３Ｄの第１重畳面３３Ｄｃ及び第１主面３３Ｄａの一部と重なる。第３導光板３３Ｄの第１主面３３Ｄａは、第４導光板３４Ｄの第１重畳面３４Ｄｃ及び第１主面３４Ｄａの一部と重なる。第４導光板３４Ｄの第１主面３４Ｄａは、第１導光板３１Ｄの第１重畳面３１Ｄｃ及び第１主面３１Ｄａの一部と重なる。図１７及び図１８に示すように、第１主面３１Ｄａ、３２Ｄａ、３３Ｄａ、３４Ｄａの外周のうち、底面３１Ｄｉ、３２Ｄｉ、３３Ｄｉ、３４Ｄｉと接続される部分が、平面視で、導光板３０Ｄの外周となる。
【０１０６】
図１８に示すように、第１導光板３１Ｄの第２底面３１Ｄｉｂは、平面視で、第４導光板３４Ｄの第１底面３４Ｄｉａよりも径方向の内側に配置される。第４導光板３４Ｄの第２底面３４Ｄｉｂは、平面視で、第３導光板３３Ｄの第１底面３３Ｄｉａよりも径方向の内側に配置される。第３導光板３３Ｄの第２底面３３Ｄｉｂは、平面視で、第２導光板３２Ｄの第１底面３２Ｄｉａよりも径方向の内側に配置される。第２導光板３２Ｄの第２底面３２Ｄｉｂは、平面視で、第１導光板３１Ｄの第１底面３１Ｄｉａよりも径方向の内側に配置される。これにより、第１主面３１Ｄａ、３２Ｄａ、３３Ｄａ、３４Ｄａは、全体として平面視で円形状に配置される。
【０１０７】
本実施形態においても、図１７及び図１８に示すように、第１導光板３１Ｄの第１側面３１Ｄｅに対向して複数の第１光源５１が設けられる。第２導光板３２Ｄの第１側面３２Ｄｅに対向して複数の第２光源５２が設けられる。また、第３導光板３３Ｄの第１側面３３Ｄｅに対向して複数の第３光源５３が設けられる。第４導光板３４Ｄの第１側面３４Ｄｅに対向して複数の第４光源５４が設けられる。第１導光板３１Ｄ、第２導光板３２Ｄ、第３導光板３３Ｄ及び第４導光板３４Ｄが組み合わされることにより、全ての第１光源５１、第２光源５２、第３光源５３及び第４光源５４は、導光板３０Ｄの外周で囲まれる領域内に配置される。
【０１０８】
全ての第１光源５１、第２光源５２、第３光源５３及び第４光源５４と重なって、第１導光板３１Ｄ、第２導光板３２Ｄ、第３導光板３３Ｄ及び第４導光板３４Ｄのいずれかが配置される。具体的には、図１７に示すように、第１導光板３１Ｄの第１重畳面３１Ｄｃの上に、第１導光板３１Ｄとは異なる他の第４導光板３４Ｄの第２側面３４Ｄｆ側の端部が重なって配置される。なお、第１実施形態と同様に、第１光源５１と第４導光板３４Ｄとの間に図示しない反射層が設けられる。
【０１０９】
同様に、第２導光板３２Ｄの第２光源５２の上には、第１導光板３１Ｄの第２側面３１Ｄｆ側の端部が重なって配置される。第３導光板３３Ｄの第３光源５３の上には、第２導光板３２Ｄの第２側面３２Ｄｆ側の端部が重なって配置される。また、第４導光板３４Ｄの第４光源５４の上には、第３導光板３３Ｄの第２側面３３Ｄｆ側の端部が重なって配置される。
【０１１０】
このように、本実施形態のバックライト３Ｄにおいても、複数の第１導光板３１Ｄ、第２導光板３２Ｄ、第３導光板３３Ｄ及び第４導光板３４Ｄが組み合わされて、複数の第１主面３１Ｄａ、３２Ｄａ、３３Ｄａ、３４Ｄａは、平面視で円形状に配置される。全ての第１光源５１、第２光源５２、第３光源５３及び第４光源５４の上には、当該光源が設けられた導光板とは異なる他の導光板の第２側面３１Ｄｆ、３２Ｄｆ、３３Ｄｆ、３４Ｄｆ側の端部がそれぞれ重なって配置される。そして、全ての第１光源５１、第２光源５２、第３光源５３及び第４光源５４は、平面視で、半球状に配置された複数の発光面ＬＳＤ１、ＬＳＤ２、ＬＳＤ３、ＬＳＤ４の外周で囲まれた領域内に配置される。
【０１１１】
このような構成により、全ての第１光源５１、第２光源５２、第３光源５３及び第４光源５４と重なる領域においても、光Ｌ１、Ｌ２、Ｌ３、Ｌ４を表示パネル２に向けて照射することができる。つまり、第１光源５１、第２光源５２、第３光源５３及び第４光源５４の配置に起因する周辺領域Ｇｄ（図８参照）の増大を抑制することができる。このためバックライト３Ｄに積層される表示パネル２（図８参照）において、バックライト３Ｄと重なるほぼ全ての領域を表示領域Ａｄとして用いることができ、周辺領域Ｇｄを小さくすることができる。また、本実施形態では、導光板３０Ｄは、Ｚ方向に凸の半球状であるため、Ｚ方向及びＺ方向に対して傾いた方向にも光Ｌ１、Ｌ２、Ｌ３、Ｌ４が照射される。することができる。このため、曲面を有する表示パネル２が設けられた場合に、表示領域Ａｄに照射される光Ｌ１、Ｌ２、Ｌ３、Ｌ４の光量の分布が生じることを抑制できる。
【０１１２】
なお、図１７に示すように、第１導光板３１Ｄの第４側面３１Ｄｈは、第２導光板３２Ｄの第３側面３２Ｄｇと、平面視で交差する。第２導光板３２Ｄの第４側面３２Ｄｈは、第３導光板３３Ｄの第３側面３３Ｄｇと、平面視で交差する。第３導光板３３Ｄの第４側面３３Ｄｈは、第４導光板３４Ｄの第３側面３４Ｄｇと、平面視で交差する。第４導光板３４Ｄの第４側面３４Ｄｈは、第１導光板３１Ｄの第３側面３１Ｄｇと、平面視で交差する。第３側面３１Ｄｇ、３２Ｄｇ、３３Ｄｇ、３４Ｄｇ及び第４側面３１Ｄｈ、３２Ｄｈ、３３Ｄｈ、３４Ｄｈで囲まれた部分に開口が形成される。中心Ｃ２は、この開口の位置と重なる位置である。
【０１１３】
なお、本実施形態のバックライト３Ｄは、図１５から図２１に示した構成に限定されない。例えば、導光板３０Ｄは、平面視で、全体として四角形状、多角形状、楕円形状、長円形状等、他の形状であってもよい。発光面ＬＳＤ１、ＬＳＤ２、ＬＳＤ３、ＬＳＤ４は、一部に平面を含んでいてもよい。また、導光板３０Ｄは、４つの第１導光板３１Ｄ、第２導光板３２Ｄ、第３導光板３３Ｄ及び第４導光板３４Ｄで構成されるが、これに限定されない。導光板３０Ｄは、少なくとも２つ以上の導光板を含んでいればよく、例えば、５つ以上の導光板を組み合わせた構成であってもよい。また、第１導光板３１Ｄ、第２導光板３２Ｄ、第３導光板３３Ｄ及び第４導光板３４Ｄは、互いに異なる形状を有していてもよい。
【０１１４】
以上、本発明の好適な実施の形態を説明したが、本発明はこのような実施の形態に限定されるものではない。実施の形態で開示された内容はあくまで一例にすぎず、本発明の趣旨を逸脱しない範囲で種々の変更が可能である。本発明の趣旨を逸脱しない範囲で行われた適宜の変更についても、当然に本発明の技術的範囲に属する。
【０１１５】
例えば、本態様の表示装置は、以下の態様をとることができる。
（１）発光面と、前記発光面と反対側の対向面と、前記発光面と前記対向面との間の第１側面と、前記第１側面と対向する第２側面と、をそれぞれ有する複数の導光板と、
複数の前記導光板の前記第１側面と対向する少なくとも１つ以上の光源と、とを有し、
複数の前記導光板が組み合わされて、全ての前記光源の上には、当該光源が設けられた前記導光板とは異なる他の導光板の前記第２側面側の端部が重なって配置される照明装置。
（２）前記光源と、前記他の導光板との間に反射層が設けられる上記（１）に記載の照明装置。
（３）前記発光面は、第１主面と、前記第１主面と連結され、少なくとも一部が前記他の導光板と重なる第１重畳面とを含み、
前記対向面は、前記第１主面と反対側の第２主面と、前記第１重畳面と反対側の第２重畳面とを含み、
前記第１側面は、前記第１重畳面と前記第２重畳面との間に設けられる上記（１）又は上記（２）に記載の照明装置。
（４）前記第１重畳面の上に、前記他の導光板の前記第２側面が重なって配置される上記（３）に記載の照明装置。
（５）前記第２側面は、前記第１主面と前記第２主面との間に設けられる上記（３）又は上記（４）に記載の照明装置。
（６）前記第１主面と前記第２主面との間の距離は、前記第２側面に近づくにしたがって小さくなる上記（３）乃至上記（５）のいずれか１つに記載の照明装置。
（７）前記導光板は、前記他の導光板に設けられた前記光源と重なる領域及び、当該光源と重ならない領域に亘って、光を散乱する散乱領域が設けられている上記（１）乃至上記（６）のいずれか１つに記載の照明装置。
（８）複数の前記光源は、前記第１側面に沿って等間隔で配置される上記（１）乃至上記（７）のいずれか１つに記載の照明装置。
（９）複数の前記光源は、前記第１側面に沿って配置され、
前記光源の配置ピッチは、前記第２側面から離れるにしたがって小さくなる上記（１）乃至上記（７）のいずれか１つに記載の照明装置。
（１０）前記導光板は、前記第１側面と前記第２側面との間の第３側面を有し、
複数の前記導光板が組み合わされて、複数の前記第３側面は平面視で環状に配置され、
全ての前記光源は、複数の前記第３側面で囲まれた領域内に配置される上記（１）乃至上記（９）のいずれか１つに記載の照明装置。
（１１）前記第１側面は、平面視で、前記第３側面から離れるにしたがって、前記第２側面に近づいて設けられる上記（１０）に記載の照明装置。
（１２）前記第１側面は、平面視で円弧状である上記（１０）又は上記（１１）に記載の照明装置。
（１３）前記第３側面は、平面視で直線状であり、
複数の前記導光板が組み合わされて、複数の前記第３側面は、四角形状に配置される上記（１０）乃至上記（１２）のいずれか１つに記載の照明装置。
（１４）前記第３側面は、平面視で円弧状であり、
複数の前記導光板が組み合わされて、複数の前記第３側面は、円形状に配置される上記（１０）乃至上記（１２）のいずれか１つに記載の照明装置。
（１５）前記発光面は曲面を有し、
複数の前記導光板が組み合わされて、複数の前記発光面は、半球状に配置される上記（１）乃至上記（９）のいずれか１つに記載の照明装置。
（１６）全ての前記光源は、平面視で、半球状に配置された複数の前記発光面の外周で囲まれた領域内に配置される上記（１５）に記載の照明装置。
（１７）上記（１）乃至上記（１６）のいずれか１つに記載の照明装置と、
前記照明装置に積層された表示パネルと、を有し、
前記表示パネルは、
第１基材と、前記第１基材と対向する第２基材と、前記第１基材と前記第２基材との間に設けられた表示機能層とを有する、表示装置。
【符号の説明】
【０１１６】
１  表示装置
２  表示パネル
３、３Ａ、３Ｂ、３Ｃ、３Ｄ  バックライト
１０  第１基材
１１  第２基材
１４  プリズムシート
１５、１６  拡散板
２５  液晶層
３０、３０Ｃ、３０Ｄ  導光板
３１、３１Ａ、３１Ｂ、３１Ｃ、３１Ｄ  第１導光板
３１ａ、３２ａ、３３ａ、３４ａ、３１Ａａ、３１Ｂａ、３１Ｃａ、３２Ｃａ、３３Ｃａ、３４Ｃａ  第１主面
３１ｂ、３４ｂ、３１Ａｂ、３１Ｃｂ  第２主面
３１ｃ、３２ｃ、３３ｃ、３４ｃ、３１Ａｃ、３１Ｂｃ、３１Ｃｃ、３２Ｃｃ、３３Ｃｃ、３４Ｃｃ、  第１重畳面
３１ｄ、３１Ａｄ、３１Ｃｄ  第２重畳面
３１ｅ、３２ｅ、３３ｅ、３４ｅ、３１Ａｅ、３１Ｂｅ、３１Ｃｅ、３２Ｃｅ、３３Ｃｅ、３４Ｃｅ、３１Ｄｅ  第１側面
３１ｆ、３２ｆ、３３ｆ、３４ｆ、３１Ａｆ、３１Ｂｆ、３１Ｃｆ、３２Ｃｆ、３３Ｃｆ、３４Ｃｆ、３１Ｄｆ  第２側面
３１ｇ、３２ｇ、３３ｇ、３４ｇ、３１Ｂｇ、３１Ｃｇ、３２Ｃｇ、３３Ｃｇ、３４Ｃｇ、３１Ｄｇ  第３側面
３１ｈ、３２ｈ、３３ｈ、３４ｈ、３１Ｂｈ、３１Ｃｈ、３２Ｃｈ、３３Ｃｈ、３４Ｃｈ、３１Ｄｈ  第４側面
３１ｉ、３２ｉ、３３ｉ、３４ｉ、３１Ｂｉ、３１Ｃｉ、３２Ｃｉ、３３Ｃｉ、３４Ｃｉ  第５側面
３１ｊ、３２ｊ、３３ｊ、３４ｊ、３１Ｃｊ、３２Ｃｊ、３３Ｃｊ、３４Ｃｊ  第６側面
３１Ｃｋ、３２Ｃｋ、３３Ｃｋ、３４Ｃｋ  第７側面
３２、３２Ｃ、３２Ｄ  第２導光板
３３、３３Ｃ、３３Ｄ  第３導光板
３４、３４Ｃ、３４Ｄ  第４導光板
４７  溝
４８  ドット
５０  照明部
５１  第１光源
５２  第２光源
５３  第３光源
５４  第４光源
６１、６２、６３、６４、６５、６６、６７、６８  反射層
Ａｄ  表示領域
Ｇｄ  周辺領域
ＬＳ１、ＬＳ２、ＬＳ３、ＬＳ４、ＬＳＡ１、ＬＳＢ１、ＬＳＣ１、ＬＳＤ１、ＬＳＤ２、ＬＳＤ３、ＬＳＤ４  発光面
ＯＳ１、ＯＳＡ１、ＯＳＣ１、ＯＳＤ１  対向面
Ｒａ  第１散乱領域
Ｒｂ  第２散乱領域
【図１】
2019087364.tif 000003
【図２】
2019087364.tif 000004
【図３】
2019087364.tif 000005
【図４】
2019087364.tif 000006
【図５】
2019087364.tif 000007
【図６】
2019087364.tif 000008
【図７】
2019087364.tif 000009
【図８】
2019087364.tif 000010
【図９】
2019087364.tif 000011
【図１０】
2019087364.tif 000012
【図１１】
2019087364.tif 000013
【図１２】
2019087364.tif 000014
【図１３】
2019087364.tif 000015
【図１４】
2019087364.tif 000016
【図１５】
2019087364.tif 000017
【図１６】
2019087364.tif 000018
【図１７】
2019087364.tif 000019
【図１８】
2019087364.tif 000020
【図１９】
2019087364.tif 000021
【図２０】
2019087364.tif 000022
【図２１】
2019087364.tif 000023